(57)【要約】　　　（修正有）【課題】本発明は、集塵機のフロート装置に関するものであり、モーターケースの破損、モーターケース外観部、床面に傷の発生、モーターケースの周辺に置かれた物の破損を防ぐことである。【解決手段】フロート装置１６の底部につば部１５を設け、転倒しにくくかつモータケースに組み込み易くする。【選択図】　　　図４
2004073684.tif 000002
【特許請求の範囲】
【請求項１】
駆動源であるモータと、該モータによって回転されるファンと、該ファンの回転により空気と集塵に分離するフィルタ装置と、該集塵の量が一定量を超えた場合に作動するフロート装置と、上記集塵を収納するダストケースとを備えた集塵機において、前記フロート装置の底部につば部を設けることを特徴とする集塵機。
【請求項２】
上記つば部は円形であることを特徴とする請求項１記載の集塵機。
【発明の詳細な説明】
【０００１】
【発明の属する技術分野】
本発明は、粉塵等を回収するために使用される集塵機に関するものである。
【０００２】
【従来の技術】
従来の集塵機を図５及び図６を用いて説明する。図５及び図６に示す集塵機は主に床面を掃除する用途で広く使用されており、この集塵機のフロート装置１６は、フロート１３とこのフロート１３を収納するフロートホルダ１４で形成されている。上記フロート１３は液体に浮くよう中空で逆円錐形を成しており、フロートホルダ１４は側面部に何ヵ所かの窓部を有した逆円錐形で、ネジ１７等によりモーターケース１に固定されている。またフロート１３はフロートホルダ１４内で上下方向に移動することができる。更に集塵量を確保するためにモーターケース１の外径に比べフロートホルダ１４の外径は１／３程度で形成されている。
【０００３】
集塵ファン４の回転により発生する吸い込み力により、集塵された液体１９や粉塵２０が含まれた液体１９は、吸込口２１を通りダストケース７内部に空気と共に搬送される。空気と共に搬送された液体１９や粉塵２０が含まれた液体１９は、ダストケース７内部に取り付けられたフィルタ装置６の濾過機能により粉塵２０と空気に分離され、フィルタ装置６の外周面で捕集される。液体１９は自然落下により、ダストケース７内に収納される。空気はフィルタ装置６を通過してフィルタ装置６の内側部を通り、モーターケース１内部に吸引される。フィルタ装置６の外周面で捕集された粉塵２０は自然落下し、ダストケース７内部に収納される。液体１９や粉塵２０が含まれた液体１９が集塵され続けるとダストケース７内の水位が上がり、集塵した液体１９が吸込口２１から逆流したり、吸気口５よりモーターケース１内まで侵入してしまい排気口１８から集塵機の外部にまき散らかされてしまう。これらを防止するために、フロート装置１６が設けられている。液体１９や粉塵２０が含まれた液体１９が集塵され続けるとダストケース７内の水位が上がる。これと共にフロート１３も上方に移動する。モーターケース１の下部の吸気口５にフロート１３が近づくと、集塵ファン４の回転により発生する吸い込み力により、フロート１３は吸いつけられ、吸気口５を塞ぎ、それ以上集塵されなくなり、集塵した液体１９が吸込口２１から逆流したり、吸気口５よりモーターケース１内まで侵入してしまい排気口１８から集塵機の外部にまき散らかされてしまうのを防止している。
【０００４】
【発明が解決しようとする課題】
集塵した粉塵の廃棄時や集塵機のメンテナンス時、ダストケースからモーターケースを取り出して周辺に配置する。配置する時、モーターケースを縦に配置すると不安定で倒れやすい。また、これを防ごうとして、横にして配置するとモーターケースが略円形のため、転がり易い。モーターケースが倒れたり、転がると、モーターケースの破損、モーターケース外観部、床面に傷の発生、モーターケースの周辺に置かれた物の破損、作業者に対する安全性が低下してしまうという問題が起きる。また、集塵した液体や粉塵の廃棄時や集塵機のメンテナンス時のモーターケースの配置の仕方が一定せず、これによりハンドル位置が一定せず、再度ダストケースにモーターケースを取付ける時に取付けるのが面倒であるという問題がある。
【０００５】
本発明の目的は、上記問題を解消し、モーターケースの破損、モーターケース外観部、床面に傷の発生、モーターケースの周辺に置かれた物の破損や、不意の怪我等をなくすことである。また、集塵した液体や粉塵の廃棄時や集塵機のメンテナンス時のモータケースの配置の仕方が決まることにより、モーターケースのダストケースへの再取付けを簡易にすることである。
【０００６】
【課題を解決するための手段】
上記目的は、フロート装置の底部につば部を設けることにより達成される。
【０００７】
【発明の実施の形態】
本実施例における集塵機を図１〜図４を用いて説明する。図１は本実施例における集塵機のフロート装置の一例を示す一部縦断側面図、図２は本実施例における集塵機のフロート装置の一例を示す底面図、図３は本実施例における集塵機のフロート装置の一例を示す底面図、図４は本実施例における集塵機のフロート装置の一例を示す一部縦断側面図である。
【０００８】
図１〜図４において、モーターケ−ス１の内部には、電動機２がその出力軸３を鉛直方向下方となるように配設し、この出力軸３には直結された遠心形集塵ファン４を設け、この集塵ファン４の吸気口５をモーターケース１の下面中心部に設ける。モーターケース１の下方には、フィルター装置６とダストケース７を配設する。フィルター装置の上面外周部８はモーターケースの下面外周部９に設けられたシールパッキン１０とダストケースの上面外周部１１間に挟まれ、モーターケース１とダストケース７がクランプなどにより締結されることにより、圧着・密閉される。ダストケース７の側面には、集塵ホースを接続するための吸込口２１が設けられる。フロート装置１６底部には、つば１５部が設けられている。なお、つば部１５の形状はモーターケース１に取付け易いように図４のような形状でも良い。
【０００９】
上記のように構成された集塵機の粉塵２０の廃棄時やメンテナンス時、モーターケース１をつば部１５が下方にくるように配置する。こうすれば、倒れづらく、転がらず、また、再度取付ける時に取付け易いという効果が得られる。
【００１０】
【発明の効果】
本発明によれば、モーターケースの破損、モーターケース外観部、床面に傷の発生、モーターケースの周辺に置かれた物の破損や、不意の怪我等を防止することができる。また、集塵した液体や粉塵の廃棄時や集塵機のメンテナンス時のモータケースの配置の仕方が決まることにより、モーターケースのダストケースへの再取付けを簡易にすることができる。
【図面の簡単な説明】
【図１】本発明になる集塵機のフロート装置の一例を示す一部縦断側面図である。
【図２】本発明になる集塵機のフロート装置の一例を示す底面図である。
【図３】本発明になる集塵機のフロート装置の一例を示す底面図である。
【図４】本発明になる集塵機のフロート装置の一例を示す一部縦断側面図である。
【図５】従来の集塵機のフロート装置を示す一部縦断側面図である。
【図６】従来の集塵機のフロート装置を示す一部縦断側面図である。
【符号の説明】
１はモーターケース、７はダストケース、１３はフロート、１５はつば部、１６はフロート装置である。
【図１】
2004073684.tif 000003
【図２】
2004073684.tif 000004
【図３】
2004073684.tif 000005
【図４】
2004073684.tif 000006
【図５】
2004073684.tif 000007
【図６】
2004073684.tif 000008